(57)【要約】【課題】  トンネル防災設備において、システムリセットした場合に、トンネル内の無監視領域を、少なくすることができるトンネル防災設備を提供することを目的とするものである。【解決手段】  システムリセットの機能を、複数の中継盤のそれぞれに、独立して搭載することによって、防災受信盤の指令によって、防災受信盤のみのシステムリセット、任意の中継盤のみのシステムリセット、システム全体のシステムリセットを可能とし、また、中継盤の指令によって、中継盤のみのシステムリセットを可能とする。【選択図】  図１
2006106834.tif 000002
【特許請求の範囲】
【請求項１】
トンネル内の各部に配置されている複数の端末機器と、上記トンネル内の所定領域内に設けられている端末機器が伝送線を介して接続されている複数の中継盤と、上記各中継盤が通信線を介して接続されている防災受信盤とを具備するトンネル防災設備において、
上記複数の中継盤のうちで、個別に指定された中継盤がシステムリセットすることを特徴とするトンネル防災設備。
【請求項２】
トンネル内の各部に配置されている複数の端末機器と、上記トンネル内の所定領域内に設けられている端末機器が伝送線を介して接続されている複数の中継盤と、上記各中継盤が通信線を介して接続されている防災受信盤とを具備するトンネル防災設備において、
上記防災受信盤のみがシステムリセットすることを特徴とするトンネル防災設備。
【請求項３】
請求項１または請求項２において、
上記中継盤は、所定領域を対象としてシステムリセットした場合、伝送線を介して接続されている各端末機器の情報を個別に収集する中継盤であり、
上記防災受信盤は、上記複数の中継盤のそれぞれが収集した情報を個別に収集する防災受信盤であることを特徴とするトンネル防災設備。
【請求項４】
請求項１〜請求項３のいずれか１項において、
上記複数の中継盤が情報を収集する端末機器の範囲として、伝送線の系統毎のグループ、チューブ毎のグループ、トンネル毎のグループのうちで、少なくとも１つのグループを選択可能であることを特徴とするトンネル防災設備。
【発明の詳細な説明】
【技術分野】
【０００１】
本発明は、トンネル防災設備に関する。
【背景技術】
【０００２】
従来のトンネル防災システムは、防災受信盤、中継盤を初期化し、たとえば、モジュール毎にＲＯＭ、ＲＡＭチェック、ＩＤ・設定スイッチの読み込み等を行うことができる。また、トンネル内端末機器の配線が断線または短絡したときに、異常箇所を最小限に抑えるための制御であるいわゆる幹線補償制御があり、個別に配線されている検知器系統と変換器系統とを混在する機能がある。
【０００３】
図３は、トンネル防災設備において、幹線補償制御の概要を示す図である。
【０００４】
たとえば、図３に示すように、系統Ａ（検知器系統）において、検知器４と５との間に断線が発生すると、この異常個所を最小限に抑えるために、断線箇所の後部に接続されている中継増幅器ＣＲ２が、バイパスおよびループバック制御を行い、いわゆる幹線補償制御が働く。
【０００５】
この幹線補償制御によって、系統Ａの検知器接続台数は４台になるが、断線箇所後部の検知器は、上記のバイパスとループとによって、系統Ｂ（変換器系統）と接続され、通信が継続される。このときに、系統Ｂの接続台数は１２台になる。断線箇所が修復された後に、システムリセットによって幹線補償制御が解除され、システム再構築でトンネル内端末機器の種別・接続構成が復旧し、系統Ａと系統Ｂとは、それぞれ初期状態に戻る（たとえば、特許文献１参照）。
【特許文献１】特開２００２―２４６９６２号公報
【発明の開示】
【発明が解決しようとする課題】
【０００６】
ところで、トンネルに使用される防災受信盤、中継盤を初期化するために、また、幹線補償制御を解除するために、トンネル内の端末機器種別等の情報を再収集する必要があり、このように、再収集した情報に基づいて、システムを再構築するために、システムリセットが必要である。
【０００７】
上記「システムリセット」は、この防災受信盤、中継盤を初期化するために、また、幹線補償制御を解除し、トンネル内の端末機器種別等の情報を所定の範囲で再収集すること、または、防災受信盤から中継盤へデータベースのダウンロードおよび制御情報通知、中継盤から防災受信盤へ状態取得することである。
【０００８】
しかし、従来のシステムリセットは、防災受信盤、中継盤およびトンネル内端末機器の全体を一括して行う。これは、システムリセットの間には、防災受信盤、中継盤を初期化し、トンネル内端末機器の情報を個別に順次収集し、システムを再構築するので、トンネル内を監視することができず、トンネル防災設備の全体に設けられている全てのトンネル内端末機器が無監視になる可能性がある。
【０００９】
なお、上記システムリセットは、少なくとも、数分間を要する。したがって、システムリセット中は、少なくとも数分間、トンネル内が無監視状態になる。
【００１０】
図４は、従来のトンネル防災設備３００の構成図である。
【００１１】
従来のトンネル防災設備３００において、防災受信盤１ａ、中継盤Ｃ１ａ、…、Ｃｎａ、トンネル内端末機器Ｔ１ａ、…、Ｔｎａの全体のシステム一括でシステムリセットを実行している。
【００１２】
上記のように、従来のトンネル防災設備３００において、システムリセットした場合、中継盤の端末機器（たとえばＴ１ａ）の種別等の情報収集、特に防災受信盤１ａや一部の中継盤（たとえばＣ１ａ）のソフト変更・メンテナンスを行っても、一時的に全システムが無監視となるという問題がある。
【００１３】
本発明は、トンネル防災設備において、システムリセットした場合に、トンネル内の無監視領域を、少なくすることができるトンネル防災設備を提供することを目的とするものである。
【課題を解決するための手段】
【００１４】
請求項１記載の発明は、トンネル内の各部に配置されている複数の端末機器と、上記トンネル内の所定領域内に設けられている端末機器が伝送線を介して接続されている複数の中継盤と、上記各中継盤が通信線を介して接続されている防災受信盤とを具備するトンネル防災設備において、上記複数の中継盤のうちで、個別に指定された中継盤がシステムリセットすることを特徴とするトンネル防災設備である。
【００１５】
請求項２記載の発明は、トンネル内の各部に配置されている複数の端末機器と、上記トンネル内の所定領域内に設けられている端末機器が伝送線を介して接続されている複数の中継盤と、上記各中継盤が通信線を介して接続されている防災受信盤とを具備するトンネル防災設備において、上記防災受信盤のみがシステムリセットすることを特徴とするトンネル防災設備である。
【００１６】
請求項３記載の発明は、請求項１または請求項２において、上記中継盤は、所定領域を対象としてシステムリセットした場合、伝送線を介して接続されている各端末機器の情報を個別に収集する中継盤であり、上記防災受信盤は、上記複数の中継盤のそれぞれが収集した情報を個別に収集する防災受信盤であることを特徴とするトンネル防災設備である。
【００１７】
請求項４記載の発明は、請求項１〜請求項３のいずれか１項において、上記複数の中継盤が情報を収集する端末機器の範囲として、伝送線の系統毎のグループ、チューブ毎のグループ、トンネル毎のグループのうちで、少なくとも１つのグループを選択可能であることを特徴とするトンネル防災設備である。
【発明の効果】
【００１８】
本発明によれば、防災受信盤または中継盤のみをシステムリセットするので、システムリセット領域のみが無監視になるだけで、システムリセットしていない領域は、通常監視することができるという効果を奏する。
【発明を実施するための最良の形態】
【００１９】
発明を実施するための最良の形態は、以下の実施例である。
【実施例１】
【００２０】
図１は、本発明の実施例１であるトンネル防災設備１００を示すブロック図である。
【００２１】
トンネル防災設備１００は、防災受信盤１と、中継盤Ｃ１、Ｃ２、……、Ｃｎと、トンネル内端末機器Ｔ１、Ｔ２、……、Ｔｎと、複数の中継増幅器ＣＲとを有する。
【００２２】
中継盤Ｃｎは、防災受信盤１と通信する防災盤通信部Ｃｎ１と、システムリセットを行う中継盤を制御する主制御部Ｃｎ２と、トンネル内端末機器との間で信号伝送するトンネル内伝送部Ｃｎ３とを有する。
【００２３】
なお、実施例における「システムリセット」は、所定領域において行う動作であり、防災受信盤、中継盤を初期化するために、また、幹線補償制御を解除し、トンネル内の端末機器種別等の情報を所定の範囲で再収集すること、防災受信盤から中継盤へデータベースのダウンロードおよび制御情報通知、中継盤から防災受信盤へ状態取得することのうちで、上記所定領域において必要な動作である。
【００２４】
そして、トンネル内伝送部Ｃｎ３からは、トンネル内の左右方向に配線が引き出されるとともに、火災を検知するための検知器系と、消火栓または自動弁等の消火用機器を監視制御するための変換器系との２系統の伝送線が設置されている。
【００２５】
そして、トンネル内端末機器Ｔｎの種別・接続構成の情報を収集する場合、中継盤Ｃｎの主制御部Ｃｎ２が、トンネル内伝送部Ｃｎ３を介して、中継盤単位（図の点線に囲まれる部分）でシステムリセットを行えば、トンネル内端末機器Ｔｎに関連する検知器や変換器の情報をチェックすることができる。
【００２６】
他の中継盤Ｃ１、Ｃ２、……の構成も、中継盤Ｃｎの構成と同様である。
【００２７】
ここで、中継盤Ｃｎにのみシステムリセットを行わせるには、まず、防災受信盤１の図示しない表示・操作部に、中継盤Ｃｎを指定するシステムリセットを入力する。このシステムリセットの入力によって、防災受信盤１は、通信線を介して、中継盤Ｃｎにシステムリセットを命令する信号を送信する。そして、上記信号を受信した中継盤Ｃｎは、システムリセットの動作を行い、その内容によって、トンネル内端末機器Ｔｎを監視制御できなくなる。この間、システムリセットしている中継盤は、無監視になるが、その他の中継盤Ｃ１等は、監視を続けることができ、無監視領域を部分的に限定することができる。
【００２８】
システムリセットの内容の中で、特に端末機器の種別収集時は、中継盤Ｃｎは監視することができない。その他の内容についても、主制御部Ｃｎ２の能力に基づいて、防災受信盤１と通信中に端末機器を監視できないとすると、データベースのダウンロード時等にも、無監視状態が発生する。
【００２９】
さらに、防災盤通信部Ｃｎ１は、上記チェックしたトンネル内端末機器Ｔｎの情報を防災受信盤１に伝え、これによって、防災受信盤１は、中継盤Ｃｎが収集した情報を個別に収集できる。一方、上記システムリセットしている中継盤Ｃｎ以外の中継盤は、このシステムリセットには影響されず、通常監視し、無監視箇所を必要最小限にすることができる。
【実施例２】
【００３０】
図２は、本発明の実施例１であるトンネル防災設備１００と同じであるが、図１に示す防災受信盤１を詳細に示すブロック図である。
【００３１】
防災受信盤１は、システムリセットを行うとともに、防災受信盤１を制御する主制御部１１と、各中継盤Ｃ１〜Ｃｎとの間で、通信線を介して個別に通信する中継盤通信部１２と、監視制御のための表示・操作部１３とを有する。
【００３２】
この防災受信盤１の表示・操作部１３に、防災受信盤１のみをシステムリセットするように入力する。このシステムリセットを入力すると、防災受信盤１内の主制御部１１の制御によって、防災受信盤１のみをシステムリセットすることができ、たとえば防災受信盤１内のモジュールの初期化と、各中継盤Ｃ１〜Ｃｎからの状態取得とを実行することができ、中継盤Ｃ１〜Ｃｎやトンネル内端末機器Ｔ１〜Ｔｎ等、防災受信盤１以外の機器は、上記システムリセットに影響されず、監視制御を継続することができる。
【００３３】
上記実施例では、トンネル防災設備において、システムリセットの機能を、各中継盤Ｃ１、Ｃ２、……、Ｃｎに搭載し、中継盤のシステムリセットを可能とする。
【００３４】
また、上記実施例では、トンネル内の所定領域として、中継盤Ｃｎがトンネル端末機器Ｔｎの情報を収集するが、これに限定されず、複数の中継盤が情報収集する端末機器の範囲として、伝送線の系統毎のグループ、チューブ毎のグループ、トンネル毎のグループ（通常自動車用のトンネルは２本のチューブで構成している）を、上記トンネル内の所定領域として考えるようにしてもよい。これらの範囲指定を可能とする防災受信盤１とし、必要な中継盤を指定する命令を行えばよい。
【００３５】
上記実施例によれば、各機器単位でシステムリセットを行うので、無監視の部分を、該当箇所に止め、監視運用における支障をできる限り少なくすることができる。
【図面の簡単な説明】
【００３６】
【図１】本発明の実施例１であるトンネル防災設備１００のブロック図である。
【図２】本発明の実施例１であるトンネル防災設備１００と同じであるが、本発明の実施例２を説明するため、図１に示す防災受信盤１を詳細に示すブロック図である。
【図３】トンネル防災設備において、幹線補償制御の概要を示す図である。
【図４】従来のトンネル防災設備３００の構成図である。
【符号の説明】
【００３７】
１００…トンネル防災設備、
１…防災受信盤、
Ｃ１、Ｃ２、〜、Ｃｎ…中継盤、
ＣＲ、ＣＲ１〜ＣＲｎ…中継増幅器、
Ｔ１、Ｔ２、〜、Ｔｎ…トンネル内端末機器。
【図１】
2006106834.tif 000003
【図２】
2006106834.tif 000004
【図３】
2006106834.tif 000005
【図４】
2006106834.tif 000006